(57)【特許請求の範囲】
【請求項１】
透明な材料で形成され、画像の読取対象となる原稿が上面側に載置される第一透明部と、
透明な材料で形成され、画像の読取対象となる原稿が原稿搬送手段によって搬送された際に、当該原稿が上面側に接触しつつ通過する状態になる第二透明部と、
一軸方向を主走査方向、当該主走査方向に直行する方向を副走査方向として、前記主走査方向に沿って配列された複数の受光素子を有するとともに、前記副走査方向へ移動可能に構成されており、前記第一透明部の上面側に載置された原稿については、前記第一透明部の下方を前記第一透明部に沿って前記副走査方向へ移動しつつ画像を読み取り可能で、しかも、前記第二透明部の上面側に接触しつつ通過する原稿については、前記第二透明部の下方で静止して画像を読み取り可能な読取手段と、
前記読取手段によって画像が読み取られる位置に配設され、前記読取手段によって読み取られる画像の色が基準となる白色として認識されることになる白基準部材と、
前記読取手段を収容する筐体の内側底面に設けられており、前記読取手段が前記白基準部材から画像を読み取り可能な位置へと移動している状態で前記第二透明部を透過した外光が前記筐体の内側底面に照射された際に、当該内側底面に照射された光を前記読取手段には照射されない方向へと反射させるか、当該内側底面で吸収することにより、前記筐体の内側底面で反射されて前記読取手段に照射されることとなる光を低減させる外光低減手段と
を備え、
前記読取手段は、下面側が前記筐体の内側底面と対向する向きに配置される基板を有しており、当該基板の上面側に前記複数の受光素子が配列されるとともに、当該基板の下面側は、少なくとも一部が前記筐体内の空間に露出した状態にあり、
前記外光低減手段は、前記筐体の内側底面に前記主走査方向へ延びる複数の溝を形成することで、前記主走査方向に垂直な断面形状が鋸歯状となる部分を前記筐体の内側底面に一体的に成形した構造とされ、
前記筐体の内側底面における前記副走査方向の全範囲のうち、前記読取手段が前記白基準部材から画像を読み取り可能な位置へと移動した際に前記読取手段が備える受光素子の直下となる第一位置から前記第二透明部の直下となる第二位置に至る範囲について、当該範囲内の一部又は全部には前記外光低減手段が設けられて、当該範囲外には前記外光低減手段が設けられておらず、
前記外光低減手段は、前記読取手段が前記白基準部材から画像を読み取り可能な位置へと移動している状態で前記第二透明部を透過した外光が前記筐体の内側底面に照射された際に、前記筐体の内側底面で反射されて前記基板の前記露出した状態にある部分に照射されることとなる光を低減させる
ことを特徴とする画像読取装置。
【請求項２】
前記読取手段は、前記基板を支持する支持体を有しており、
前記基板の下面側は、少なくとも一部が前記支持体によって覆われる一方、残りの一部が前記筐体内の空間に露出した状態にあり、
前記外光低減手段は、前記読取手段が前記白基準部材から画像を読み取り可能な位置へと移動している状態で前記第二透明部を透過した外光が前記筐体の内側底面に照射された際に、前記主走査方向について、前記筐体の内側底面で反射される光が前記基板の前記露出した状態にある部分に照射されることとなる範囲に設けられている
ことを特徴とする請求項１に記載の画像読取装置。
【発明の詳細な説明】
【技術分野】
【０００１】
本発明は、画像読取装置に関する。
【背景技術】
【０００２】
従来、原稿の画像を読み取る読取手段として、一次元イメージセンサを備えた画像読取装置（例えば、イメージスキャナ装置、ファクシミリ装置、あるいは複合機など；以下、これらを総称して単に「画像読取装置」と称する。）が知られている。
【０００３】
この種の画像読取装置では、一般に、イメージセンサで画像を読み取るのに先立ち、シェーディング補正と呼ばれる処理が行われる。このシェーディング補正では、一様な明るさと認識すべき基準画像（例えば、白色画像）がイメージセンサで実際に読み取られ、読み取った基準画像中の画素間にある明暗のばらつきを解消するための補正が行われる。
【０００４】
ところで、このような画像読取装置に対し、装置外から比較的強い光（例えば、太陽光等；以下、外光という。）が当たる状況下では、装置内において各部を透過したり各部で反射したりした光が、イメージセンサの受光素子で検知される状態になることがある。このような状態になると、外光の影響により、適正なシェーディング補正を行うことができなくなることがある。
【０００５】
このような外光の影響を排除するため、必要箇所に遮光壁を立設して、この遮光壁で外光を遮断する技術なども提案されている（例えば、特許文献１参照。）。下記特許文献１に記載の技術の場合、読取ガラスの原稿の無い部分から光学ユニット内に外光が入射するため、その対策として、光学ユニットのケース内の底面に遮光壁を立設してある。
【先行技術文献】
【特許文献】
【０００６】
【特許文献１】特開平１０−1３６３６号公報
【発明の概要】
【発明が解決しようとする課題】
【０００７】
しかしながら、外光の侵入位置、ケース内の底面位置、及びイメージセンサの配設位置、これらの位置関係によっては、光を遮ることができるような位置に遮光壁を立設することが難しい場合がある。あるいは、装置内に可動部がある場合には、可動部との干渉を避ける都合上、光を遮ることができるような位置に遮光壁を立設することが困難なこともある。
【０００８】
さらに、遮光壁を立設すること自体は可能でも、外光の侵入位置とイメージセンサの配設位置によっては、遮光壁の高さをかなり高くしないと光を遮ることが困難なことがある。この場合、高さのある遮光壁を設けたことが、画像読取装置の薄型化を妨げる要因になる、という問題がある。
【０００９】
本発明は、上記のような問題を解決するためになされたものであり、その目的は、遮光壁のような高さのある部材を用いることなく、装置内に侵入する外光が読取手段へ到達するのを阻止可能な画像読取装置を提供することにある。
【課題を解決するための手段】
【００１０】
以下、本発明において採用した構成について説明する。
本発明の画像読取装置は、透明な材料で形成され、画像の読取対象となる原稿が上面側に載置される第一透明部と、透明な材料で形成され、画像の読取対象となる原稿が原稿搬送手段によって搬送された際に、当該原稿が上面側に接触しつつ通過する状態になる第二透明部と、一軸方向を主走査方向、当該主走査方向に直行する方向を副走査方向として、前記主走査方向に沿って配列された複数の受光素子を有するとともに、前記副走査方向へ移動可能に構成されており、前記第一透明部の上面側に載置された原稿については、前記第一透明部の下方を前記第一透明部に沿って前記副走査方向へ移動しつつ画像を読み取り可能で、しかも、前記第二透明部の上面側に接触しつつ通過する原稿については、前記第二透明部の下方で静止して画像を読み取り可能な読取手段と、前記読取手段によって画像が読み取られる位置に配設され、前記読取手段によって読み取られる画像の色が基準となる白色として認識されることになる白基準部材と、前記読取手段を収容する筐体の内側底面に設けられており、前記読取手段が前記白基準部材から画像を読み取り可能な位置へと移動している状態で前記第二透明部を透過した外光が前記筐体の内側底面に照射された際に、当該内側底面に照射された光を前記読取手段には照射されない方向へと反射させるか、当該内側底面で吸収するか、当該内側底面を透過させることにより、前記筐体の内側底面で反射されて前記読取手段に照射されることとなる光を低減させる外光低減手段とを備えたことを特徴とする。
【００１１】
このように構成された画像読取装置によれば、読取手段が白基準部材から画像を読み取る際、第二透明部を透過した外光が筐体の内側底面に照射されても、外光低減手段が、筐体の内側底面で反射されて読取手段に照射されることとなる光を低減させる。したがって、筐体の内側底面で反射された外光を受光素子で検知してしまうのを抑制でき、シェーディング補正などを行う際に外光による影響が出ることを軽減できる。
【００１２】
また、この画像読取装置において、外光低減手段は、読取手段を収容する筐体の内側底面に設けられているので、例えば、遮光壁のような高さのある部材を用いる従来品とは異なり、外光低減手段の高さ方向寸法は格段に低くすることができる。したがって、このような外光低減手段であれば、画像読取装置の薄型化を妨げることがない。
【００１３】
さらに、構造的にあるいはその他の事情で、遮光壁のような高さのある部材を設けることができない状況であっても、本発明でいう外光低減手段であれば設けることができる場合はあるので、その場合、本発明の構成は、遮光壁の代替手段として有益なものとなる。
【００１４】
また、本発明の画像読取装置は、前記読取手段が前記白基準部材から画像を読み取り可能な位置へと移動した際に前記読取手段が備える受光素子の直下となる第一位置から、前記第二透明部の直下となる第二位置に至る範囲のうちの一部又は全部を含む領域に、前記外光低減手段が設けられていると好ましい。
【００１５】
このように構成された画像読取装置によれば、外光が第二透明部を透過した際、筐体の内側底面での反射光が読取手段へ到達しやすくなる領域に、外光低減手段が設けられているので、効果的に外光の反射を抑制できる。
【００１６】
また、本発明の画像読取装置において、前記読取手段は、下面側が前記筐体の内側底面と対向する向きに配置される基板を有しており、当該基板の上面側に前記複数の受光素子が配列されるとともに、当該基板の下面側は、少なくとも一部が前記筐体内の空間に露出した状態にあり、前記外光低減手段は、前記読取手段が前記白基準部材から画像を読み取り可能な位置へと移動している状態で前記第二透明部を透過した外光が前記筐体の内側底面に照射された際に、前記筐体の内側底面で反射されて前記基板の前記露出した状態にある部分に照射されることとなる光を低減させるものであると好ましい。
【００１７】
このように構成された画像読取装置によれば、外光低減手段によって、基板の露出した状態にある部分に照射されることとなる光を低減させるので、基板が光を透過する可能性のある材質で作られていても、そのような透過光を受光素子で検知してしまうのを抑制できる。
【００１８】
また、本発明の画像読取装置において、前記読取手段は、前記基板を支持する支持体を有しており、前記基板の下面側は、少なくとも一部が前記支持体によって覆われる一方、残りの一部が前記筐体内の空間に露出した状態にあり、前記外光低減手段は、前記読取手段が前記白基準部材から画像を読み取り可能な位置へと移動している状態で前記第二透明部を透過した外光が前記筐体の内側底面に照射された際に、前記主走査方向について、前記筐体の内側底面で反射される光が前記基板の前記露出した状態にある部分に照射されることとなる範囲に設けられていると好ましい。
【００１９】
このように構成された画像読取装置によれば、支持体によって基板が覆われていない箇所に対応付けて外光低減手段が設けてあるので、外光低減手段を無駄に主走査方向全体にわたって設けなくても済む。
【００２０】
また、本発明の画像読取装置において、前記外光低減手段は、前記読取手段が前記白基準部材から画像を読み取り可能な位置へと移動している状態において、前記第二透明部の直下よりも前記読取手段から離間することとなる位置には設けられていないものであると好ましい。
【００２１】
このように構成された画像読取装置によれば、第二透明部を透過した光が筐体の内側底面で反射したとしても、その反射光が読取手段に照射されない部分には、外光低減手段が設けられていないので、外光低減手段を無駄に広範囲にわたって設けなくても済む。
【００２２】
また、本発明の画像読取装置において、前記外光低減手段は、前記筐体の内側底面に一体的に形成されていると好ましい。
このように構成された画像読取装置によれば、筐体の内側底面に別部材を配置しなくても、外光低減手段を構成できるので、画像読取装置の製造工程を簡略化することができる。
【００２３】
また、本発明の画像読取装置において、前記外光低減手段は、前記筐体の内側底面に照射された光を、前記読取手段には照射されない方向へと反射させるか、当該内側底面で吸収する部材を、前記筐体の内側底面に付加することによって形成されていると好ましい。
【００２４】
このように構成された画像読取装置によれば、筐体を形成する材料とは別材料の中から、光の反射又は吸収に適した材料を選択できるので、外光の低減効果を高めることができる。
【図面の簡単な説明】
【００２５】
【図１】画像読取装置を備えた複合機を示す図であり、（ａ）は画像読取装置のサブトレイが閉じられた状態を示す斜視図、（ｂ）は画像読取装置のサブトレイが開かれた状態を示す斜視図。
【図２】画像読取装置の縦断面図。
【図３】（ａ）は筐体内底面に縦断面鋸歯状の外光低減部が設けられた場合の光路を示す説明図、（ｂ）は筐体内底面に外光低減部が設けられていない場合の光路を示す説明図。
【図４】（ａ）は筐体内底面に光を透過させる外光低減部が設けられた場合の光路を示す説明図、（ｂ）は筐体内底面に光を吸収する外光低減部が設けられた場合の光路を示す説明図。
【発明を実施するための形態】
【００２６】
次に、本発明の実施形態について一例を挙げて説明する。
［複合機の構造］
図１（ａ）及び同図（ｂ）に示す複合機１は、画像読取装置としての機能（スキャン機能）に加え、その他の機能（例えば、プリント機能、コピー機能、ファクシミリ送受信機能など）を兼ね備えたものである。なお、以下の説明においては、複合機１が備える各部の相対的な位置関係をわかりやすく説明するため、図中に併記した上下左右前後の各方向を利用する。
【００２７】
複合機１は、プリンタユニット２と、プリンタユニット２の上部に搭載されたスキャナユニット３を備えている。スキャナユニット３は、フラットベッド型イメージスキャナのカバー部分に自動原稿送り装置（Automatic Document Feeder；以下、ＡＤＦと略称する。）を備えた構造になっており、下側部分がスキャナ本体部５、上側部分がＡＤＦ部６とされている。
【００２８】
また、プリンタユニット２の前部上側には、利用者によって操作される操作パネル７が設けられている。また、操作パネル７の下方には、印刷後の被記録媒体を排出する排出口８が形成され、さらにその下方には、印刷前の被記録媒体が収納される給紙カセット９などが装着されている。
【００２９】
これらのうち、スキャナユニット３は、スキャナユニット３の後端付近において左右方向へと延びる軸線を回動中心として、プリンタユニット２に対し回動可能な構造とされている。この回動に伴って、スキャナユニット３は、プリンタユニット２の上部開口を閉鎖する位置又は同上部開口を開放する位置へ変位可能となっている。
【００３０】
ＡＤＦ部６は、ＡＤＦ部６の後端付近において左右方向へと延びる軸線を回動中心として、スキャナ本体部５に対し回動可能な構造とされている。この回動に伴って、ＡＤＦ部６は、スキャナ本体部５の上面にある原稿載置面を覆う位置又は同原稿載置面を露出させる位置へ変位可能となっている。
【００３１】
ＡＤＦ部６には、図２中に破線で示す搬送経路に沿って、読取対象となる原稿を搬送する原稿搬送機構１１が設けられている。この原稿搬送機構１１は、動力源からの動力で駆動される複数の駆動ローラ、及び駆動ローラとの間に原稿を挟み込みつつ従動するピンチローラなどによって構成される。
【００３２】
ＡＤＦ部６の上面には、開閉式トレイ１２が設けられている。この開閉式トレイ１２は、図２中に二点鎖線の両端矢印で示したように、閉じられたときに開閉式トレイ１２の右端となる部分付近において前後方向へと延びる軸線を回動中心として回動可能に構成されている。
【００３３】
この開閉式トレイ１２は、閉じられたとき（図１（ａ）参照。）には、ＡＤＦ部６の上面側開口部を覆うカバーとして機能する。また、開閉式トレイ１２が開かれたとき（図１（ｂ）参照。）には、開閉式トレイ１２は、原稿搬送機構１１による搬送対象となる原稿が積載されるトレイとして機能し、また、原稿搬送機構１１による搬送を終えた原稿が排出されるトレイとしても機能する。
【００３４】
スキャナ本体部５の上面側には、図２に示すように、ガラス板１３が配設されている。このガラス板１３は、一部が、フラットベッド型イメージスキャナの原稿載置面を形成する第一透明部１３ａとして利用される。また、第一透明部１３ａとして利用される部分とは別の一部は、原稿搬送機構１１によって原稿が搬送された際に、原稿が上面側に接触しつつ通過する状態になる第二透明部１３ｂとして利用されている。
【００３５】
ガラス板１３の下方には、イメージセンサ１５が設けられている。本実施形態において、イメージセンサ１５としては、密着イメージセンサ（Contact Image Sensor）が利用されている。このイメージセンサ１５は、前後方向を主走査方向、左右方向を副走査方向として、主走査方向に沿って配列された複数の受光素子を有するとともに、副走査方向へ移動可能に構成されている。
【００３６】
第一透明部１３ａの上面側に載置された原稿の画像を読み取る場合、イメージセンサ１５は、第一透明部１３ａの下方を第一透明部１３ａに沿って副走査方向へ移動しつつ、原稿の画像を読み取る。
【００３７】
また、原稿搬送機構１１によって搬送される原稿の画像を読み取る場合、イメージセンサ１５は、第二透明部１３ｂの下方で静止して、原稿が第二透明部１３ｂの上面側に接触しつつ通過するときに、その原稿の画像を読み取る。なお、第二透明部１３ｂの上方には原稿ホルダ１７が配設され、上述の搬送経路を搬送される原稿は、原稿ホルダ１７によってガラス板１３側（第二透明部１３ｂ側）に押し当てられる。
【００３８】
［外光低減部］
ガラス板１３の上面側で、第一透明部１３ａと第二透明部１３ｂの間となる位置には、シェーディング補正の際にイメージセンサ１５によって読み取られる白基準部材１９が設けられている。そして、イメージセンサ１５を収容するスキャナ本体部５の筐体２１の内側底面には、外光低減部２３（本発明でいう外光低減手段の一例に相当。）が設けられている。
【００３９】
本実施形態において、外光低減部２３は、図３（ａ）に示すように、筐体２１の内側底面に一体的に形成されたものである。より詳しくは、筐体２１の内側底面に前後方向に延びる複数の溝を形成することで、前後方向に垂直な断面形状が鋸歯状となる外光低減部２３が形成されている。
【００４０】
また、本実施形態では、イメージセンサ１５が白基準部材１９から画像を読み取り可能な位置（図３（ａ）に示す位置。）へと移動した際に、イメージセンサ１５が備える受光素子１５ａの直下となる第一位置３１から、第二透明部１３ｂの直下となる第二位置３２に至る範囲３３のうちの一部を含む領域に、外光低減部２３が設けられている。なお、第二透明部１３ｂの直下よりもイメージセンサ１５から離間することとなる位置には、外光低減部２３が設けられていない。
【００４１】
このような外光低減部２３を設けると、第二透明部１３ｂから入射する外光がスキャナ本体部５の筐体２１の内側底面に照射された際、その光が外光低減部２３によってイメージセンサ１５側とは異なる方向へと反射される（図３（ａ）中に破線で示す光路参照。）。
【００４２】
第二透明部１３ｂから外光が入射する状況としては、書籍などの原稿を第１透明部１３ａ上に載せて、ＡＤＦ部６を開いたままの状態で画像のスキャンやコピーを行う場合などが想定される。このような状況で、太陽光などの強い光が第二透明部１３ｂから入射しても、外光低減部２３が設けてあれば、外光低減部２３に照射される光は、イメージセンサ１５側とは異なる方向へと反射される。
【００４３】
ちなみに、このような外光低減部２３が設けられていない場合は、図３（ｂ）に示すように、第二透明部１３ｂから入射する外光がスキャナ本体部５の筐体２１の内側底面に照射されると、その光がイメージセンサ１５側へと反射されることがある（図３（ｂ）中に破線で示す光路参照。）。このような反射光は、イメージセンサ１５側の上方や下方から受光素子１５ａへと入射するおそれがある。
【００４４】
より詳しくは、イメージセンサ１５が備える受光素子１５ａは、プリント配線板１５ｂの上側に実装されているため、上述のような反射光がプリント配線板１５ｂの上方から到来すると、その光が受光素子１５ａに検知されることがある。
【００４５】
また、イメージセンサ１５が備えるプリント配線板１５ｂの材質や厚さによっては、プリント配線板１５ｂの下方から到来する光がプリント配線板１５ｂを透過することもあり、この場合も、プリント配線板１５ｂの上側に実装された受光素子１５ａに検知されることがある。
【００４６】
特に、本実施形態で採用しているイメージセンサ１５は、薄型化を図るため、プリント配線板１５ｂが周縁部分で支持体１５ｃに支持され、プリント配線板１５ｂの下方に設けられる構造物が極力減らされている。
【００４７】
そのため、プリント配線板１５ｂの下面側は、一部が筐体２１内の空間に露出した状態にあり、この露出部分に強い光が当たると、上述の通り、プリント配線板１５ｂの下方から到来する光がプリント配線板１５ｂを透過しやすい状況にある。
【００４８】
このような外光の影響を受けた状態で、上述の白基準部材１９を利用してシェーディング補正を行っても、適正な補正を行うことができない場合があり、その後の画像読み取りの際に、悪影響を及ぼすことになる。
【００４９】
この点、図３（ａ）に例示したような外光低減部２３が設けてあれば、第二透明部１３ｂから入射する外光がスキャナ本体部５の筐体２１の内側底面に照射されても、その反射光がイメージセンサ１５に対して照射されるのを防止ないし抑制することができる。
【００５０】
したがって、外光低減部２３での反射光がイメージセンサ１５の受光素子１５ａに検知されない状態で、上述の白基準部材１９を利用したシェーディング補正を行うことができ、これにより、適正な補正を行うことができる。
【００５１】
［効果］
以上説明したように、この複合機１は、上述のような外光低減部２３が設けてあるので、第二透明部１３ｂを透過した外光が筐体２１の内側底面に照射されても、外光低減部２３が、筐体２１の内側底面で反射されてイメージセンサ１５に照射されることとなる光を低減させる。
【００５２】
したがって、筐体２１の内側底面で反射された外光を受光素子１５ａで検知してしまうのを抑制でき、シェーディング補正などを行う際に外光による影響が出ることを軽減できる。
【００５３】
また、この複合機１において、外光低減部２３は、イメージセンサ１５を収容する筐体２１の内側底面に設けられているので、遮光壁のような高さのある部材を用いる従来品とは異なり、外光低減部２３の高さ方向寸法は格段に低くすることができる。
【００５４】
したがって、このような外光低減部２３であれば、スキャナユニット３の薄型化を妨げることがなく、ひいては複合機１の薄型化を妨げることもない。
また、この複合機１の場合、イメージセンサ１５が第二透明部１３ｂの直下へ移動するという構造的な都合上、第二透明部１３ｂの直下には、遮光壁のような高さのある部材を設けることが困難であるが、上記のような外光低減部２３であれば、問題なく設けることができる。
【００５５】
さらに、上記外光低減部２３は、筐体２１の成形時に金型で一体成形することができるので、筐体２１の内側底面に別部材を配置しなくても、所期の外光低減部２３を構成でき、別部材を設ける場合よりも製造工程を簡略化することができる。
【００５６】
［変形例等］
以上、本発明の実施形態について説明したが、本発明は上記の具体的な一実施形態に限定されず、この他にも種々の形態で実施することができる。
【００５７】
例えば、上記実施形態では、筐体２１の内側底面に一体的に形成された外光低減部２３を例示したが、筐体２１の内側底面で反射する光を抑制できれば、外光低減部の具体的構造は、上記一例に限られるものではない。
【００５８】
例えば、図４（ａ）に示すように、筐体２１の内側底面に透明部材４１を配設し、外光が筐体２１の内側底面を透過することで、光がイメージセンサ１５側へ反射しない構造とされていてもよい。あるいは、図４（ｂ）に示すように、筐体２１の内側底面に光を吸収する黒色部材４３を配設し、外光が筐体２１の内側底面で吸収されることで、光がイメージセンサ１５側へ反射しない構造とされていてもよい。
【００５９】
また、上記実施形態では、特に言及しなかったが、上述のような外光低減部２３は、イメージセンサ１５の主走査方向について、全体にわたって設けられていてもよいし、部分的に設けられていてもよい。特に、イメージセンサ１５の下側において、プリント配線板１５ｂの一部が支持体１５ｃに覆われ、残りの一部だけが露出している場合には、その露出した状態にある部分に対応する位置にだけ、外光低減部２３が設けられていてもよい。このように構成すれば、外光低減部２３を無駄に主走査方向全体にわたって設けなくても済む。
【００６０】
また、上記実施形態においては、スキャナユニット３が、複合機１に組み込まれる事例を示したが、単機能のイメージスキャナ装置として構成されていてもよい。
【符号の説明】
【００６１】
１・・・複合機、２・・・プリンタユニット、３・・・スキャナユニット、５・・・スキャナ本体部、６・・・ＡＤＦ部、７・・・操作パネル、８・・・排出口、９・・・給紙カセット、１１・・・原稿搬送機構、１２・・・開閉式トレイ、１３・・・ガラス板、１３ａ・・・第一透明部、１３ｂ・・・第二透明部、１５・・・イメージセンサ、１５ａ・・・受光素子、１５ｂ・・・プリント配線板、１５ｃ・・・支持体、１７・・・原稿ホルダ、１９・・・白基準部材、２１・・・筐体、２３・・・外光低減部、４１・・・透明部材、４３・・・黒色部材。
【図１】
0005810601.tif 000002
【図２】
0005810601.tif 000003
【図３】
0005810601.tif 000004
【図４】
0005810601.tif 000005